(57)【特許請求の範囲】
【請求項１】
屋根材本体の一側端には、上方に向けて張り出された被嵌合部を形成すると共に、他側端には、他の粘着剤付き屋根材に形成された上記同様の被嵌合部に被せて弾性嵌合する嵌合部を形成し、
上記被嵌合部に嵌合部を被せて弾性嵌合したときには、上記被嵌合部の表面と、上記嵌合部の裏面との間に部分的に非接触となる水切り空間部を形成すると共に、裏面に粘着剤を設けた粘着剤付き屋根材の粘着屋根葺き工法であって、
屋根下地上に粘着させた他の粘着剤付き屋根材の被嵌合部に、粘着剤付き屋根材の嵌合部を被せて弾性嵌合すると共に、該粘着剤付き屋根材を屋根下地上に粘着して横葺きしてなり、
上記被嵌合部は、上記粘着剤付き屋根材の一側端を上方向に僅かに立上げた後、再び内側に折り返して、被嵌合部の内側基部に被係止凹所を形成し、該被係止凹所の上端から鉛直方向に脚片部を形成し、該脚片部の上端から外側に向けて僅かに傾斜させて傾斜面を形成したうえで上端に達し、該上端を僅かな円弧状に形成したうえで、外側下方に向けて上記傾斜面よりも緩やかな勾配に傾斜させて膨出部を形成し、該膨出部の下端から再び内側に僅かに折り返したうえで、上記脚片部と平行に下方向に延びる脚片部を形成し、該脚片部の下端に更に外方に向けて延びる延設片を形成してなる一方、
上記嵌合部は、上記粘着剤付き屋根材の他側端を上方向に向けて上記被嵌合部の脚片部に密着するように一旦折り曲げ、更に上記被嵌合部の膨出部の下側に密着して外嵌する程度に膨出させたうえで、そのまま略円形状に湾曲形成し、その下端を上記脚片部に密着するようにして下方向へと延ばされ、その遊端に、更に内側に向けて環状に折り返して、上記被嵌合部の内側基部に形成された被係止凹所に係止する係止突条を形成してなることを特徴とする粘着剤付き屋根材の粘着屋根葺き工法。
【発明の詳細な説明】
【技術分野】
【０００１】
本発明は、特別な連結部材を用いることなく、裏面に粘着剤を設けた粘着剤付き屋根材を、屋根の下地上に粘着して横葺きしてなる粘着剤付き屋根材の粘着屋根葺き工法に関する。
【背景技術】
【０００２】
図５は、従来の粘着剤付き屋根材の粘着屋根葺き工法の一実施例を示す斜視図であり、図６は、図５で示した粘着剤付き屋根材の粘着屋根葺き工法の施工状態を示す断面図である。
【０００３】
上、下端にハゼ部１０１、１０２を屈曲形成し、裏面に粘着剤１０３を設けた粘着剤付き屋根材１００は既に公知である。
【０００４】
この種の粘着剤付き屋根材１００は、図５に示すように、トタン、ブリキ、薄鋼板などの金属製薄板１００’の上、下端にハゼ部（上側を「水上」、下側を「水下」とも呼ぶ。）１０１、１０２を屈曲形成するとともに、裏面に粘着剤１０３を設けた構造になっている。
【０００５】
このような粘着剤付き屋根材１００を施工する際には、図５に示すように、屋根の下地２０１上に接着性を高めるべくプライマー２０２を塗布し、このプライマー２０２上から非加硫ブチルゴムなどの粘着層２０３を裏面に備えた防水シート２０４を被覆して粘着し、屋根下地２００を形成する。
【０００６】
このように形成した屋根下地２００上の所定位置に、図５及び図６に示すように、略逆Ｔ状に形成した役物（「竪リブ」とも呼ぶ。）３００を固着する。
【０００７】
又、役物３００には、裏面全体から表面に巻き返して前記同様の粘着剤３０１を設けており、屋根下地２００上に墨出しした所定位置に役物３００の位置を合わせながら粘着剤３０１を屋根下地２００上に圧着して固着する。
【０００８】
そして、この固着した役物３００間に挟み込むようにして粘着剤付き屋根材１００を軒側端から粘着剤１０３によって屋根下地２００上に圧着し、以下、同様にして、次の粘着剤付き屋根材１１０を横方向に葺いて行く。
【０００９】
更に、この横葺きした粘着剤付き屋根材１００の棟方向には、前記同様、役物３００を屋根下地２００上に固着したうえで、粘着剤付き屋根材１００の上端のハゼ部１０１に、裏面に粘着剤１０３を設けた他の粘着剤付き屋根材１２０の下端のハゼ部１２２を係止したうえで、該他の粘着剤付き屋根材１２０を屋根下地２００上に圧着し、この係止したハゼ部１０１、１２２同士を拍子木等で叩いてハゼ潰し（「ハゼ締め」とも呼ぶ。）を行い、軒棟方向の粘着剤付き屋根材１００、１２０同士を連結しながら、前記同様に横方向に葺いて行くのである。
【発明の開示】
【発明が解決しようとする課題】
【００１０】
しかし、このような従来の粘着剤付き屋根材１００の粘着屋根葺き工法Ｙには、以下の問題があった。
【００１１】
すなわち、横葺き施工される粘着剤付き屋根材同士を連結するには、役物３００等の特別な連結部材が必要であるため、部品点数が多くなり、施工も容易にできないという問題があった。
【００１２】
又、図６に示すように、屋根下地２００上に固着した役物３００と、粘着剤付き屋根材１００との接合部Ｐから雨水等が万一浸入すると、この雨水等が屋根下地２００に浸水して雨漏り等を生じる恐れがあった。
【００１３】
本発明は、かかる課題を解決することを目的とするもので、特別な連結部材が不要であるうえ、粘着剤付き屋根材を容易に横葺きして施工でき、しかも、雨水等の浸入を確実に防止可能な粘着剤付き屋根材の粘着屋根葺き工法を提供する。
【課題を解決するための手段】
【００１４】
上記目的を達成するため、
請求項１に係る粘着剤付き屋根材の粘着屋根葺き工法は、屋根材本体の一側端には、上方に向けて張り出された被嵌合部を形成すると共に、他側端には、他の粘着剤付き屋根材に形成された上記同様の被嵌合部に被せて弾性嵌合する嵌合部を形成し、上記被嵌合部に嵌合部を被せて弾性嵌合したときには、上記被嵌合部の表面と、上記嵌合部の裏面との間に部分的に非接触となる水切り空間部を形成すると共に、裏面に粘着剤を設けた粘着剤付き屋根材の粘着屋根葺き工法であって、屋根下地上に粘着させた他の粘着剤付き屋根材の被嵌合部に、粘着剤付き屋根材の嵌合部を被せて弾性嵌合すると共に、該粘着剤付き屋根材を屋根下地上に粘着して横葺きしてなり、
上記被嵌合部は、上記粘着剤付き屋根材の一側端を上方に僅かに立上げた後、再び内側に折り返して、被嵌合部の内側基部に被係止凹所を形成し、該被係止凹所の上端から鉛直方向に脚片部を形成し、該脚片部の上端から外側に向けて僅かに傾斜させて傾斜面を形成したうえで上端に達し、該上端を僅かな円弧状に形成したうえで、外側下方に向けて上記傾斜面よりも緩やかな勾配に傾斜させて膨出部を形成し、該膨出部の下端から再び内側に僅かに折り返したうえで、上記脚片部と平行に下方向に延びる脚片部を形成し、該脚片部の下端に更に外方に向けて延びる延設片を形成してなる一方、
上記嵌合部は、上記粘着剤付き屋根材の他側端を上方向に向けて上記被嵌合部の脚片部に密着するように一旦折り曲げ、更に上記被嵌合部の膨出部の下側に密着して外嵌する程度に膨出させたうえで、そのまま略円形状に湾曲形成し、その下端を上記脚片部に密着するようにして下方向へと延ばされ、その遊端に、更に内側に向けて環状に折り返して、上記被嵌合部の内側基部に形成された被係止凹所に係止する係止突条を形成してなることを特徴とする。
【００１５】
（削除）
【発明の効果】
【００１６】
本発明によれば、次のような効果がある。
請求項１に係る粘着剤付き屋根材の粘着屋根葺き工法によれば、他の粘着剤付き屋根材の被嵌合部に、粘着剤付き屋根材の嵌合部を嵌合するだけで、隣接する粘着剤付き屋根材同士を容易に横葺き施工でき、役物等のような連結部材を不要にして、部品点数が減少できるうえ、施工も容易にできる。
【００１７】
又、被嵌合部と嵌合部との嵌合部分から、仮に雨水等が毛細管現象によって吸い上げられても、水切り空間部によって、前記雨水の吸い上げを遮断し、雨水の浸入を防止できる。
【００１８】
また、被嵌合部の被係止凹所に、嵌合部の係止突条が係止されるので、隣接する粘着剤付き屋根材同士を確実に連結して横葺き施工できる。
【発明を実施するための最良の形態】
【００１９】
以下、本発明に係る粘着剤付き屋根材の粘着屋根葺き工法Ａを図面とともに説明する。
【実施例１】
【００２０】
図１は、本発明に用いる粘着剤付き屋根材１の一実施例を示す斜視図であり、図２は、図１を軒方向から見た状態の断面図である。図３は、本発明に係る粘着剤付き屋根材の粘着屋根葺き工法Ａを示す施工図であり、図３（ａ）は、粘着剤付き屋根材１が連結される前の状態を示し、図３（ｂ）は、粘着剤付き屋根材１が連結された後の状態を各々示している。
【００２１】
先ず、本発明に用いる粘着剤付き屋根材１は、トタン、ブリキ、薄鋼板などの屋根材本体１１の一側端には、上方に向けて張り出された被嵌合部２を形成すると共に、他側端には、他の粘着剤付き屋根材１’に形成された前記同様の被嵌合部２’に被せて弾性嵌合する嵌合部３を形成して成る。
【００２２】
ここで、粘着剤付き屋根材１に形成される被嵌合部２及び嵌合部３と、他の粘着剤付き屋根材１’に形成される被嵌合部２’及び嵌合部３’とは、便宜上、符号を変えているに過ぎず、両者は実質的には同一である。
【００２３】
被嵌合部２’は、図３（ｂ）の点線枠内に拡大して示すように、粘着剤付き屋根材１’の一側端を上方向へ僅かに立上げた後、再び内側に折り返して、被嵌合部２’の内側基部に被係止凹所５を形成し、この被係止凹所５の上端から鉛直方向に脚片部２１’を形成し、この脚片部２１’上端から外側に向けて僅かに傾斜させて傾斜面２２’を形成したうえで上端に達し、この上端を僅かな円弧状に形成したうえで、外側下方に向けて傾斜面２２’よりも緩やかな勾配に傾斜させて膨出部２３’を形成し、この膨出部２３’の下端から再び内側に僅かに折り返したうえで、脚片部２１’と平行に下方向へ延びる脚片部２１’を形成し、その下端は、更に外方に向けて粘着剤付き屋根材１’と水平位置となる延設片７が延設されている。
【００２４】
嵌合部３は、被嵌合部２’に被せて弾性嵌合するように形成して成る。
【００２５】
具体的には、粘着剤付き屋根材１の他側端を上方向に向けて脚片部２１’に密着するように一旦折り曲げ、更に膨出部２３’の下側に密着して外嵌する程度に膨出させたうえで、そのまま略円形状に湾曲形成し、その下端を脚片部２１’に密着するようにして下方向へと延ばされ、しかも、その遊端は、更に内側に向けて環状に折り返して、被嵌合部２’の内側基部に形成された被係止凹所５に係止する係止突条６を形成している。
【００２６】
屋根材本体１１の裏面全体には、非加硫ブチルゴムなどのシート状の粘着剤８を設けている。
【００２７】
又、屋根材本体１１の上端には、表面側に折り返したハゼ部１２を形成すると共に、屋根材本体１１の下端には、裏面側に折り返したハゼ部１３を形成している。
【００２８】
以上のように構成した粘着剤付き屋根材１は、以下の要領で施工する。
【００２９】
先ず、屋根の下地Ｓ１上に接着性を高めるべくプライマーＳ２を塗布する。このプライマーＳ２は、１０ｍ２当り１．５ｋｇ〜２．５ｋｇの割合で、下地Ｓ１が完全に見えなくなるくらいに塗布する。そして、プライマーＳ２の塗布後、４〜５時間以内にプライマーＳ２が十分に乾燥し、指触乾燥したならば、このプライマーＳ２上から非加硫ブチルゴムなどの粘着層Ｓ３を裏面に備えた防水シートＳ４を被覆して粘着する。
【００３０】
防水シートＳ４は、軒先から棟に向けて貼着して行き、防水シートＳ４の重ね代は１００ｍｍ以上とし、シーリングを施すのが好ましい。
【００３１】
なお、防水シートＳ４は、ゴムローラー等により十分に圧着し、防水シートＳ４の重ね目は、しわが生じないように圧着し、屋根下地Ｓを形成する。
【００３２】
次に、この屋根下地Ｓ上に墨出しを行い、粘着剤付き屋根材１’、１、・・・の貼着位置を決定する。
【００３３】
そして、前記墨出しに合わせて、軒側端の屋根下地Ｓ上に他の粘着剤付き屋根材１’を圧着する。
【００３４】
次に、この粘着した他の粘着剤付き屋根材１’の一側端に形成された被嵌合部２’に向けて、粘着剤付き屋根材１の他側端に形成した嵌合部３を上方から被せて、被嵌合部２’に嵌合部３を弾性嵌合させると共に、粘着剤付き屋根材１を隣接させて、前記同様に屋根下地Ｓに圧着して横葺きする。この被嵌合部２’に嵌合部３を弾性嵌合させたとき、図３（ｂ）の枠内拡大図に示すように、被嵌合部２’の表面と、嵌合部３の裏面との間には、部分的に非接触となる水切り空間部４が形成されることになる。そのため、嵌合部３と被嵌合部２’の嵌合部分、具体的には、嵌合部３の側端から、仮に雨水が毛細管現象によって吸い上げられても、水切り空間部４によって、上記雨水の吸い上げを遮断し、雨水が粘着剤付き屋根材１の裏面に浸入することを防止できるのである。以下、前記同様にして、複数の粘着剤付き屋根材１’、１、・・・を横葺きして行く。
【００３５】
次に、この横葺きした粘着剤付き屋根材１’、１、・・・から棟方向に施工するには、前記墨出しに合わせて、屋根下地Ｓ上の軒側端に圧着した他の粘着剤付き屋根材１’の上端のハゼ部（不図示）に上段の粘着剤付き屋根材（不図示）の下端のハゼ部（不図示）を係止させて連結し、これらハゼ部同士を拍子木等でハゼ潰しすると共に、前記上段の粘着剤付き屋根材（不図示）を前記同様に屋根下地Ｓ上に圧着する。
【００３６】
そして、この上段の粘着剤付き屋根材（不図示）の一側端に形成された被嵌合部（不図示）に向けて、前記同様、他の粘着剤付き屋根材（不図示）の嵌合部（不図示）を弾性嵌合させると共に、他の粘着剤付き屋根材（不図示）を隣接させて、前記同様に屋根下地Ｓに圧着して横葺きして行き、本発明に係る粘着剤付き屋根材の粘着屋根葺き工法Ａを完了するのである。
【００３７】
このように、本発明に係る粘着剤付き屋根材の粘着屋根葺き工法Ａによれば、他の粘着剤付き屋根材１’の被嵌合部２’に、粘着剤付き屋根材１の嵌合部３を嵌合すると共に、粘着剤８で屋根下地Ｓ上に圧着するだけで、隣接する粘着剤付き屋根材１’、１同士を容易に横葺き施工でき、役物等のような連結部材を不要にして、部品点数が減少できるうえ、施工も容易にできる。
【００３８】
又、被嵌合部２’と嵌合部３との嵌合部分から、仮に雨水等が毛細管現象によって吸い上げられても、水切り空間部４によって、前記雨水の吸い上げを遮断し、雨水の浸入を防止できる。
【００３９】
しかも、被嵌合部２’の被係止凹所５に、嵌合部３の係止突条６が係止されるので、隣接する粘着剤付き屋根材１’、１同士を確実に連結して横葺き施工できる。
【実施例２】
【００４０】
図４は、本発明に係る粘着剤付き屋根材１の他の実施例を示す斜視図である。
【００４１】
なお、図１〜図３と共通する部位には、同一の符号を付して重複する説明は省略し、以下では、本実施例の特徴についてのみ説明する。
【００４２】
この粘着剤付き屋根材１では、屋根材本体１１の上、下端に前記ハゼ部を形成せずに、屋根材本体１１の裏面全体に貼着した粘着剤８を、屋根材本体１１の上端の表面側にまで巻き返して形成した点に特徴がある。
【００４３】
そのため、この粘着剤付き屋根材１を棟方向に施工するには、前記同様、屋根下地Ｓ上の軒側端に圧着した粘着剤付き屋根材１の上端に、上段に位置される他の粘着剤付き屋根材（不図示）の下端を重合すれば、屋根材本体１１の上端表面に形成した粘着剤８及び他の粘着剤付き屋根材（不図示）裏面の粘着剤（不図示）によって、これら粘着剤付き屋根材１及び他の粘着剤付き屋根材（不図示）を粘着連結することができ、前記上段の粘着剤付き屋根材（不図示）を前記同様に屋根下地Ｓ上に圧着したうえで、前記同様、更に他の粘着剤付き屋根材（不図示）を隣接させて、前記同様に屋根下地Ｓに圧着して横葺きして行き、本発明に係る粘着剤付き屋根材の粘着屋根葺き工法Ａを完了するのである。
【図面の簡単な説明】
【００４４】
【図１】本発明に係る粘着剤付き屋根材の一実施例を示す斜視図である。
【図２】図１を棟軒方向から見た状態の断面図である。
【図３】本発明に係る粘着剤付き屋根材の粘着屋根葺き工法Ａを示す施工図であり、図３（ａ）は、粘着剤付き屋根材１が連結される前の状態を示し、図３（ｂ）は、粘着剤付き屋根材１が連結された後の状態を各々示している。
【図４】本発明に係る粘着剤付き屋根材の他の実施例を示す斜視図である。
【図５】従来の粘着剤付き屋根材の粘着屋根葺き工法の一実施例を示す斜視図である。
【図６】図５で示した粘着剤付き屋根材の粘着屋根葺き工法の施工状態を示す断面図である。
【符号の説明】
【００４５】
Ａ      粘着剤付き屋根材の粘着屋根葺き工法
Ｓ      屋根下地
Ｓ１    下地
１      粘着剤付き屋根材
１１    屋根材本体
２、２’      被嵌合部
２１’  脚片部
２２’  傾斜面
２３’  膨出部
３      嵌合部
４      水切り空間部
５      被係止凹所
６      係止突条
８      粘着剤
【図１】
0004724704.tif 000002
【図２】
0004724704.tif 000003
【図３】
0004724704.tif 000004
【図４】
0004724704.tif 000005
【図５】
0004724704.tif 000006
【図６】
0004724704.tif 000007